(57)【要約】      （修正有）【課題】カメラ本体が装備するホットシュのシンクロ端子にストロボ本体の端子を電気的に導通接続でき、その他のカメラ端子はストロボのカメラ端子に該当する以外の端子と非導通に成るような絶縁スティックによって、他のメーカのストロボでもカメラによってフラッシュ出来るようにする。又、絶縁スティック本体は首等にぶら下げておけるようにする。【解決手段】カメラ本体と、このカメラ本体の上面に立設され、ストロボその他の外部機器のシュークリップが挿入取り付けられるホットシュと、該ホットシュの底部に露呈して設けられたシンクロ端子及びカメラ端子と、前記ホットシュに挿入可能な形状寸法で、該挿入時に前記ホットシュのシンクロ端子のみに開口し、カメラ端子には開口しない絶縁スティック本体と、前記絶縁スティック本体と積層構造で前記ホットシュに挿入できるストロボ本体のシューリングとから成る絶縁スティック。【選択図】図３
2009031395.tif 000002
【特許請求の範囲】
【請求項１】
カメラのホットシューに挿入可能な形状寸法の絶縁スティック本体と該本体の挿入時に前記ホットシューのシンクロ端子のみに開口し、カメラ端子には開口しないように構成したことを特徴とする絶縁スティック。
【請求項２】
前記絶縁スティック本体はプラスチック製でホットシューに挿入する反対側にひも等のホルダーが取り付けられて成ることを特徴とする請求項１記載の絶縁スティック。
【発明の詳細な説明】
【技術分野】
【０００１】
本発明は、被写体撮影が出来る主に携帯できるカメラのホットシューに取り付けられる絶縁スティックに関するものである。
【背景技術】
【０００２】
従来、被写体撮影が出来る主に携帯できるカメラにはカメラに機能を補充する機器、主にストロボを装着するホットシューが設けられていてカメラ撮影者の要望を満たしている。
しかし、カメラ撮影者はしばしばこのホットシューを利用して他のカメラメーカのストロボを使用したいと思うが、ホットシューにはシンクロ端子とカメラ端子などが各社の仕様で構成されているために異なるメーカのストロボはこれに一致しないために互換ができなかった。特に単にフラッシュのみの場合に他のメーカのストロボを使いたいとする要望が多くある。
【０００３】
特許文献１では、外付けストロボを使用して撮影を行う場合に、内蔵ストロボも同時に発光してしまうと適正露光が得られないので、これを改善するためにカメラのホットシューを利用したものである。これはホットシュー２に装着した状態において、ポップアップする内蔵ストロボ３と当接して、ポップアップを阻止するフイン１５をホットシューアダプタ１０に設けるようにしたものであって、ホットシュー２は利用しているが他社のストロボをホットシュー２を利用してフラッシングさせることを考慮していない。
【特許文献１】特開平９−２１８４４１号公報
【発明の開示】
【発明が解決しようとする課題】
【０００４】
本発明は被写体の撮影が可能で且つ携帯できる程度の大きさのカメラ本体が装備するホットシューを利用して、このホットシューのシンクロ端子にストロボ本体の端子を電気的に導通接続でき、その他のカメラ端子はストロボのカメラ端子に該当する以外の端子と非導通に成るような絶縁スティックを実現することで、他のメーカのストロボでもカメラによってフラッシュ出来る利便性を高める点にある。又、絶縁スティック本体は首等にぶら下げておける等携帯を勘案した点にある。
【課題を解決するための手段】
【０００５】
本発明は被写体の撮影が可能で且つ携帯できる程度の大きさのカメラ本体と、このカメラ本体の上面に立設され、ストロボその他の外部機器のシュークリップが挿入取り付けられるホットシューと、該ホットシューの底部に露呈して設けられたシンクロ端子及びカメラ端子と、前記ホットシューに挿入可能な形状寸法で、該挿入時に前記ホットシューのシンクロ端子のみに開口し、カメラ端子には開口しない絶縁スティック本体と、前記絶縁スティック本体と積層構造で前記ホットシューに挿入できるストロボ本体のシューリングとから成る絶縁スティックを提供することでシンクロ端子のみを他の会社のストロボと共通化してフラッシング出来るようにし利便性を高めている。
【０００６】
又本発明は絶縁スティック本体はプラスチック製でホットシューに挿入する反対側にひも等のネックホルダーが取り付けられて成る絶縁スティックを提供することで、携帯に便利などこでも他社のストロボを利用出来るようにしている。
【発明の効果】
【０００７】
請求項１記載の発明によれば、カメラ本体のシンクロ端子とこれに対応するストロボ本体の端子のみが電気的に導通できる絶縁スティック本体であるから異なる会社のストロボを利用してフラッシュでき利便性が高まる効果がある。
【０００８】
請求項２記載の発明によれば、絶縁スティック本体はプラスチック製で有るから幾度となく使用でき、しかも汚れても簡単に拭けるのでシンクロ端子或いはカメラ端子を汚すことが無くなる。その上紐等のホルダーを付けて首等からぶら下げられるから便利で有るなどの効果がある。
【発明を実施するための最良の形態】
【０００９】
本発明は、他社のストロボも利用したい要望に対しカメラのホットシューに着目し、被写体の撮影が可能で且つ携帯できる程度の大きさのカメラ本体の上面にあるホットシューのカメラ端子をストロボのカメラ端子に対応する以外の電気端子と非導通にする絶縁スティック本体で実現した。
又本発明は絶縁スティックは何回も使用できしかも電極であるシンクロ端子、カメラ端子を汚すことがないことを実現した。
【実施例】
【００１０】
以下に、本発明の実施例に係る絶縁スティックは図１乃至図４を参照して説明するが図４は絶縁スティック本体の他の例をしました図である。
【００１１】
図１乃至図３において２１はカメラ本体で、該カメラ本体２１の上には所謂外付けのストロボ本体３２のシュークリップ２３が強制的に挿入され、シューリング２７で前記シュークリップ２３と締め付けられるホットシュー２４が配置されている。このホットシュー２４の内側にはストロボ本体３２の前記シュークリップ２３の裏部に設けられた端子に電気的に導通するシンクロ端子２５及びカメラ端子２６が頭部を上方に露出して設けられている。
【００１２】
この場合、シンクロ端子２５は規格によって大きさ、位置が特定されている、また、これ以外のカメラ端子２６は通常シンクロ端子２５より小さく、位置的に離れている。２８は絶縁スティック本体で、この絶縁スティック本体２８にはシンクロ端子２５の位置に合致する寸法で開口３１が開けられホットシュー２４のシンクロ端子２５が現れるようになっている。この場合図１はホットシュー２４に絶縁スティック本体２８を挿入した平面図で、これを矢印Ａから見たのが図２である。尚３３は紐で首からぶら下げる際に利用できる。
【００１３】
次に、絶縁スティック本体２８をホットシュー２４に取り付ける場合、図示矢印Ｂ方向から絶縁スティック２８を挿入する。この場合、開口３１とシンクロ端子２５とは位置的に寸法的に予め設定してあるから挿入完了で開口３１はシンクロ端子２５に一致し、該シンクロ端子２５は表にあらわれる。次にストロボ本体３２のシュークリップ２３をホットシュー２４と絶縁スティック本体２３との隙間に挿入し、挿入完了でシューリング２７を締め付けて絶縁スティック本体２８とシュークリップ２３とをホットシュー２４に固定する。
【００１４】
これによって、シンクロ端子２５にはストロボ本体３２の前記シンクロ端子２５に対応する端子のみ導通し他のカメラ端子２６は導通しなくできる。従って他社のストロボ本体３２でも開口３１を通してシンクロ端子２５とストロボ本体３２の底部のシンクロ端子２５に対応する端子のみが導通しフラッシュすることが出来る。
【００１５】
図４は前記絶縁スティック本体２８がスムーズにホットシュー２４に挿入出来るように先端を扁平にした扁平部３５を形成したもので、先端が薄くなっても十分に挿入に耐え得るように厚さを調整する。又絶縁スティック２８はプラスチック製が良く、しかも透明であればホットシュー２４に挿入した際、位置の確認ができる。そのうえカメラ端子２６、シンクロ端子２５を汚すこともない。
【産業上の利用可能性】
【００１６】
本発明の絶縁スティックはカメラに異なるメーカのストロボを利用する場合に大いに利便性があり、また携帯に便利であって、メモリースティックなどに一体的に形成しても尚一層便利である。
【図面の簡単な説明】
【００１７】
【図１】本発明の実施例を説明するためのホットシューに絶縁スティック本体を挿入した状態を示す概略平面図。
【図２】図１の矢印Ａ方向から見た図である。
【図３】本発明の実施例を説明する斜視図である。
【図４】図１の絶縁スティックの他の例を示す斜視図である。
【図５】従来例の構成図である。
【符号の説明】
【００１８】
２１    カメラ本体
２３    シュークリップ
２４    ホットシュー
２５    シンクロ端子
２６    カメラ端子
２７    シューリング
２８    絶縁スティック本体
３１    開口
３２    ストロボ本体
３３    紐
３５    扁平部
【図１】
2009031395.tif 000003
【図２】
2009031395.tif 000004
【図３】
2009031395.tif 000005
【図４】
2009031395.tif 000006
【図５】
2009031395.tif 000007